(57)【特許請求の範囲】
【請求項１】
可視光により被検眼を照明する可視光照明手段と、前記被検眼の瞳孔径内の光学特性の分布を測定可能な測定光学系と、前記可視光照明手段で前記被検眼を照明したときの前記測定光学系からの測定結果を取り込んで当該被検眼の瞳孔径寸法を計測する瞳孔径寸法計測手段と、前記瞳孔径寸法計測手段における計測結果を表示する表示部とを備えた眼科装置であって、
前記可視光照明手段は、前記被検眼に対して、夜間の環境下と同等の明るさを照射する機能と、昼間の環境下と同等の明るさを照射する機能とを有し、
前記測定光学系は、前記可視光照明手段により夜間の環境下と同等の明るさを照射されたときの前記被検眼の光学特性の分布を複数回連続的に測定可能であるとともに、前記可視光照明手段により昼間の環境下と同等の明るさを照射されたときの前記被検眼の光学特性の分布を複数回連続的に測定可能であり、
前記瞳孔径寸法計測手段は、前記測定光学系で測定した前記被検眼の光学特性の分布から、夜間の環境下と同等の明るさにおける前記被検眼の複数の瞳孔径寸法のうち最大の瞳孔径寸法と、昼間の環境下と同等の明るさにおける前記被検眼の複数の瞳孔径寸法のうち最小の瞳孔径寸法とを求めることを特徴とする眼科装置。
【請求項２】
前記可視光照明手段は、前記被検眼に対して、夜間の環境下と同等の明るさを少なくとも３回連続的に照射するとともに、昼間の環境下と同等の明るさを少なくとも３回連続的に照射することを特徴とする請求項１に記載の眼科装置。
【請求項３】
前記可視光照明手段は、前記被検眼に固視チャートを投影する固視光学系であることを特徴とする請求項１又は２に記載の眼科装置。
【請求項４】
前記可視光照明手段では、前記被検眼に対して夜間の環境下と同等の明るさを照射することのできる光量と、該被検眼に対して昼間の環境下と同等の明るさを照射することのできる光量とを含み、意図的に異なる２つ以上の予め設定された値で、光量が切り換え可能とされていることを特徴とする請求項１〜３のいずれか一項に記載の眼科装置。
【請求項５】
前記可視光照明手段の光量の調整のための調整操作部が設けられていることを特徴とする請求項１〜４のいずれか一項に記載の眼科装置。
【発明の詳細な説明】
【技術分野】
【０００１】
本発明は、被検眼の瞳孔径内の光学特性の分布の測定が可能な眼科装置に関する。
【背景技術】
【０００２】
従来、被検眼の眼特性の屈折状態の測定が可能な眼科装置が知られている。このような眼科装置に、被検眼の瞳孔径内の光学特性の分布の測定が可能な測定光学系を備え、被検眼の眼底に測定光線を照射し、その反射光束のうち瞳孔を通過した光束の受光結果に基づいて波面解析を行う（以下、波面収差の測定という）ことにより、当該被検眼の屈折力（屈折状態）を多面的に解析することのできるものがある（例えば、特許文献１参照）。
【０００３】
ここで、被検眼では、昼間の環境下（明所）と夜間の環境下（暗所）とで瞳孔径が変化することから、それぞれの瞳孔径での屈折状態を測定することが求められる。このため、昼間における瞳孔径の大きさ（以下、昼間瞳孔径寸法という）を取得し、上記した眼科装置を用いて、夜間における大きく開いた状態の瞳孔の被検眼に対して波面収差の測定を行い、その波面解析を行うことにより被検眼の夜間の屈折状態を測定するとともに、大きく開いた状態の瞳孔と同心上の昼間瞳孔径寸法の領域での波面解析を行うことにより被検眼の昼間の屈折状態を測定することが考えられている。
【先行技術文献】
【特許文献】
【０００４】
【特許文献１】特開２００４−１３５８１５号公報
【発明の概要】
【発明が解決しようとする課題】
【０００５】
しかしながら、実際の被検眼では、瞳孔が大きく開かされたり小さく萎められたりする際、瞳孔の中心位置が変位したり瞳孔の形状が変化したりすることから、上記した方法による被検眼の昼間の環境下での屈折状態の測定結果には改善の余地があった。
【０００６】
そこで、瞳孔の中心位置が変位したり瞳孔の形状が変化したりするのを抑制するために、瞳孔を小さくさせたいときは内部固視を明るくし、瞳孔を大きくさせたいときは内部固視を暗くするよう測定光線の制御を行う眼科装置が本出願人より提案されている（特願２００９−１０５７５３）。
【０００７】
しかし、実際には同じ明るさであっても、瞳孔は周期的に大きくなったり小さくなったりを繰り返しているため、単に測定光線の明るさを制御するだけではベストな瞳孔径寸法を測定できないという問題がある。
【０００８】
本発明は、内部固視を明るくしたり暗くしたりしたときに、ベストな瞳孔径寸法の測定が可能で、被検眼に対し瞳孔径寸法の異なる状態における屈折状態を正確に測定することのできる眼科装置を提供することを目的とする。
【課題を解決するための手段】
【０００９】
請求項１に記載の発明は、可視光により被検眼を照明する可視光照明手段と、前記被検眼の瞳孔径内の光学特性の分布を測定可能な測定光学系と、前記可視光照明手段で前記被検眼を照明したときの前記測定光学系からの測定結果を取り込んで当該被検眼の瞳孔径寸法を計測する瞳孔径寸法計測手段と、前記瞳孔径寸法計測手段における計測結果を表示する表示部とを備えた眼科装置であって、前記可視光照明手段は、前記被検眼に対して、夜間の環境下と同等の明るさを照射する機能と、昼間の環境下と同等の明るさを照射する機能とを有し、前記測定光学系は、前記可視光照明手段により夜間の環境下と同等の明るさを照射されたときの前記被検眼の光学特性の分布を複数回連続的に測定可能であるとともに、前記可視光照明手段により昼間の環境下と同等の明るさを照射されたときの前記被検眼の光学特性の分布を複数回連続的に測定可能であり、前記瞳孔径寸法計測手段は、前記測定光学系で測定した前記被検眼の光学特性の分布から、夜間の環境下と同等の明るさにおける前記被検眼の複数の瞳孔径寸法のうち最大の瞳孔径寸法と、昼間の環境下と同等の明るさにおける前記被検眼の複数の瞳孔径寸法のうち最小の瞳孔径寸法とを求めることを特徴としている。
【００１０】
請求項２に記載の発明は、請求項１において、前記可視光照明手段は、前記被検眼に対して、夜間の環境下と同等の明るさを少なくとも３回連続的に照射するとともに、昼間の環境下と同等の明るさを少なくとも３回連続的に照射することを特徴としている。
【００１１】
請求項３に記載の発明は、請求項１又は２において、前記可視光照明手段は、前記被検眼に固視チャートを投影する固視光学系であることを特徴としている。
【００１２】
請求項４に記載の発明は、請求項１〜３のいずれか一項において、前記可視光照明手段では、前記被検眼に対して夜間の環境下と同等の明るさを照射することのできる光量と、該被検眼に対して昼間の環境下と同等の明るさを照射することのできる光量とを含み、意図的に異なる２つ以上の予め設定された値で、光量が切り換え可能とされていることを特徴としている。
【００１３】
請求項５に記載の発明は、請求項１〜４のいずれか一項において、前記可視光照明手段の光量の調整のための調整操作部が設けられていることを特徴としている。
【発明の効果】
【００１４】
本発明の眼科装置によれば、測定光学系は、夜間の環境下と同等の明るさにおける被検眼の瞳孔径寸法を複数回（少なくとも３回）測定するとともに、昼間の環境下と同等の明るさにおける被検眼の瞳孔径寸法を複数回（少なくとも３回）測定することができる。そして、瞳孔径寸法計測手段は、測定光学系での測定結果から、夜間の環境下と同等の明るさにおける被検眼の複数の瞳孔径寸法のうち、最大の瞳孔径寸法を求めるとともに、昼間の環境下と同等の明るさにおける被検眼の複数の瞳孔径寸法のうち、最小の瞳孔径寸法を求める。これにより、被検眼に対し瞳孔径寸法の異なる状態における光学特性をより正確に測定することができる。
【００１５】
上記した構成に加えて、前記可視光照明手段は、前記被検眼に固視チャートを投影する固視光学系であることとすると、新たな光源を設ける必要がないことから簡易な構成とすることができるとともに、測定の際に被検者は固視チャート像を観察するだけでよいことから、被検者に違和感を覚えさせることなく瞳孔径を変化させることができる。
【００１６】
上記した構成に加えて、前記可視光照明手段では、前記被検眼に対して夜間の環境下と同等の明るさを照射することのできる光量と、該被検眼に対して昼間の環境下と同等の明るさを照射することのできる光量とを含み、意図的に異なる２つ以上の予め設定された値で、光量が切り換え可能とされていることとすると、容易に昼間の環境下での瞳孔径寸法での光学特性と、夜間の瞳孔径寸法での光学特性とを測定することができる。
【００１７】
上記した構成に加えて、前記可視光照明手段の光量の調整のための調整操作部が設けられていると、表示部に表示された瞳孔径寸法を見ながら調整操作部を操作することにより、所望の瞳孔径寸法での光学特性を測定することができる。
【図面の簡単な説明】
【００１８】
【図１】本発明に係る眼科装置の光学系を模式的に示す説明図である。
【図２】眼科装置の電気制御系を模式的なブロック回路で示す説明図である。
【図３】被検眼側から正面視したプラチドリングパターンを模式的に示す説明図である。
【図４】エリアセンサ（その受光面）上で見た、プラチドリングパターンによる投影像を説明するための説明図である。
【図５】Ｚアライメントがずれた状態を説明するための図４と同様の説明図である。
【図６】固視チャートの一例を示す図である。
【図７】被検眼の瞳孔の変化の様子を説明するための説明図であり、（ａ）は瞳孔が大きく開かれた状態を示し、（ｂ）は瞳孔が縮小した状態とその推定状態とを示している。
【図８】瞳孔が縮小した被検眼に対する波面収差の測定の様子を説明するための説明図である。
【図９】瞳孔が大きく開かれた被検眼に対する波面収差の測定の様子を説明するための説明図である。
【図１０】解析処理部が瞳孔径寸法に関するデータをエリアセンサから取り込む様子を説明した図である。
【図１１】変形例１の眼科装置の電気制御系を示す図２と同様の説明図である。
【図１２】変形例１の眼科装置において表示部に瞳孔径寸法をリアルタイムで表示させる一例を示す説明図である。
【図１３】変形例１の眼科装置において表示部に瞳孔径寸法をリアルタイムで表示させる他の例を示す説明図である。
【図１４】変形例２の眼科装置の電気制御系を示す図２と同様の説明図である。
【発明を実施するための形態】
【００１９】
以下に、本発明に係る眼科装置を図面に従って説明する。
【実施例１】
【００２０】
図１は、本発明に係る眼科装置１０の光学系を模式的に示す説明図である。図２は、眼科装置１０の電気制御系を模式的なブロック回路で示す説明図である。図３は、被検眼Ｅ側から正面視したプラチドリングパターン５１を模式的に示す説明図である。図４は、エリアセンサ６１（その受光面）上で見た、プラチドリングパターン５１による投影像を説明するための説明図であり、図５は、Ｚアライメントがずれた状態を説明するための図４と同様の説明図である。図６は、固視チャートの一例を示す図である。図７は、被検眼Ｅの瞳孔Ｅｐの変化の様子を説明するための説明図であり、（ａ）は瞳孔Ｅｐが大きく開かれた状態を示し、（ｂ）は瞳孔Ｅｐが縮小した状態を示している。図８は、瞳孔Ｅｐが縮小した被検眼Ｅに対する波面収差の測定の様子を説明するための説明図である。図９は、瞳孔Ｅｐが大きく開かれた被検眼Ｅに対する波面収差の測定の様子を説明するための説明図である。なお、図７（ｂ）では、理解容易のために、瞳孔が縮小する際の中心位置の変位や瞳孔の形状の変化を強調して示しており、実際の被検眼Ｅにおける変化の態様と合致するものではない。
【００２１】
眼科装置１０は、実施例１では、被検眼Ｅの眼特性測定を行うべく波面収差を測定する波面収差測定装置である。この被検眼Ｅについては、図１では、網膜（眼底）Ｅｆ、角膜（前眼部）Ｅｃおよび水晶体Ｅｇを示している。
【００２２】
眼科装置１０は、図１に示すように、光学系として、測定照明系２０と、受光光学系３０と、光学系移動手段４０と、前眼部照明系５０と、アライメント観察光学系６０と、ＸＹアライメント光学系７０と、固視光学系８０と、を備える。また、眼科装置１０は、図２に示すように、電気制御系として、制御演算部１１と、入力部１２と、表示部１３と、駆動部１４とを備える。
【００２３】
以下、本発明に係る模型眼が適用される眼科装置１０の光学系の大略構成、ブロック回路図の大略構成、この眼科装置の作用の概略を説明する。
【００２４】
（測定照明系２０の構成）
測定照明系２０は、図１に示すように、被検眼Ｅの眼底Ｅｆに照明光束としてのスポット光を照射する（図８および図９参照）のに用いられる。この測定照明系２０は、測定光源２１と、レンズ２２と、偏光ビームスプリッタ２３と、ダイクロイックミラー２４と、ダイクロイックミラー２５と、対物レンズ２６と、を有する。測定照明系２０では、レンズ２２と対物レンズ２６との間に偏光ビームスプリッタ２３およびダイクロイックミラー２４，２５が配置されている。偏光ビームスプリッタ２３は、照明光束のＰ偏光成分を反射し、後述する眼底Ｅｆからの反射光束のＳ偏光成分を透過するダイクロイックミラーにより構成される。ダイクロイックミラー２４は、照明光束および反射光束を反射し、後述する固視光束を透過する波長選択性ミラーにより構成されている。ダイクロイックミラー２５は、照明光束、反射光束および固視光束を反射し、後述する観察光束を透過させるダイクロイックミラーにより構成される。
【００２５】
なお、被検眼Ｅからダイクロイックミラー２５までの光学要素は、測定照明系２０、受光光学系３０、アライメント観察光学系６０、ＸＹアライメント光学系７０、および固視光学系８０において共通であり、ダイクロイックミラー２５からダイクロイックミラー２４までの光学要素は測定照明系２０、受光光学系３０および固視光学系８０について共通であり、ダイクロイックミラー２４から偏光ビームスプリッタ２３までの光学要素は、測定照明系２０および受光光学系３０について共通である。
【００２６】
測定光源２１は、実施例１では、近赤外線を発光するＳＬＤ（スーパールミネッセンスダイオード）が用いられている。なお、測定光源２１は、レーザーやＬＥＤ等を用いることもできる。この測定光源２１は、制御演算部１１（図２参照）からの制御信号Ｓ１によって制御される。
【００２７】
この測定照明系２０は、測定光源２１から出射されレンズ２２を透過した光束を、偏光ビームスプリッタ２３、ダイクロイックミラー２４およびダイクロイックミラー２５で反射して対物レンズ２６の光軸上へと導き、その対物レンズ２６を経て被検眼Ｅの網膜（眼底）Ｅｆを照明する。
【００２８】
（受光光学系３０の構成）
受光光学系３０は、測定照明系２０の照明による眼底Ｅｆからの反射光束をエリアセンサ３１に導く役割を果たす。この受光光学系３０は、エリアセンサ３１と、ハルトマン板３２と、レンズ３３と、レンズ３４と、反射鏡３５と、を有する。また、受光光学系３０は、上述したように、被検眼Ｅから偏光ビームスプリッタ２３までの光学系は測定照明系２０の光学系と共通とされている。反射鏡３５は、眼底Ｅｆからの反射光束の光軸を、測定光源２１から出射される照明光束の光軸の方向と平行にする役割を果たす。すなわち、受光光学系３０では、測定照明系２０により照明された被検眼Ｅの網膜（眼底）Ｅｆからの反射光束を、対物レンズ２６を経てダイクロイックミラー２４およびダイクロイックミラー２５で反射し、偏光ビームスプリッタ２３を透過させて反射鏡３５で反射することにより、レンズ３３、レンズ３４およびハルトマン板３２が配置された測定光軸上へと導く。レンズ３３は、レンズ３４を通過した反射光束を平行光束に変換してハルトマン板３２に導く。ハルトマン板３２は、光束を複数の分割光束に分割する機能を有する。眼底Ｅｆからの反射光束は、ハルトマン板３２によって複数の分割光束に分割され、各分割光束は、エリアセンサ３１の受光面上に集光される。エリアセンサ３１は、複数の分割光束を受光して光電変換することにより、ハルトマン板３２によって分割された複数の分割光束を受光し、各分割光束の受光光量に応じた受光信号Ｓ４を出力する。このエリアセンサ３１からの受光信号Ｓ４に基づいて波面収差が求められる。この波面収差の変化（エリアセンサ３１の受光面上の各輝点の理想波面に対する移動量）に基づき、解析する（エリアセンサ３１で得られた光束の傾き角度に基づいてゼルニケ解析を行う）ことにより、被検眼Ｅの光学特性（屈折状態や収差量等）を演算することができる。このため、受光光学系３０は、被検眼Ｅの瞳孔径内の光学特定の分布を測定可能な測定光学系として機能する。その受光信号Ｓ４は制御演算部１１（図２参照）に出力される。このエリアセンサ３１は、実施例１では、エリアＣＣＤが用いられている。なお、エリアセンサ３１は、ＣＭＯＳセンサ等を用いてもよい。
【００２９】
受光光学系３０に用いられるハルトマン板３２は、光束を複数の分割光束に分割する部材であり、実施例１では、光軸と直交する面内に配された複数のマイクロフレネルレンズ等のマイクロレンズが用いられている。
【００３０】
（光学系移動手段４０の構成）
光学系移動手段４０は、測定光源２１の移動のための光源移動手段４１と、センサユニット３６の移動のためのセンサ移動手段４２と、後述する視標ユニット８７の移動のための視標移動手段４３と、を有する。光源移動手段４１は、測定光源２１を測定照明系２０の測定光軸に沿って移動させる機能を有する。センサ移動手段４２は、センサユニット３６を、受光光学系３０の測定光軸に沿って移動させる機能を有する。視標移動手段４３については、後述する。
【００３１】
この光源移動手段４１とセンサ移動手段４２とは、被検眼Ｅの屈折度数に応じて、測定光源２１と被検眼Ｅの網膜（眼底）Ｅｆとエリアセンサ３１（その受光面）とが略共役な位置関係となるように、それぞれ駆動される。このような移動の方法としては、あらかじめ「０」ディオプタ（以下、「０」Ｄと記載する）の被検眼Ｅを測定した時のエリアセンサ３１上の輝点の間隔を記憶し、実際に測定する被検眼Ｅを測定した際のエリアセンサ３１上の輝点間隔が、記憶している間隔と略一致する位置まで移動すればよい。実施例１では、測定光源２１の移動量とセンサユニット３６の移動量とが等しくなるように、測定照明系２０および受光光学系３０が光学的に構成され、測定光源２１とセンサユニット３６とがリンクされており、光源移動手段４１とセンサ移動手段４２とが単一の駆動源（例えばモータ）で駆動される単一の光学系移動手段４０として構成とされている。また、後述するように、視標移動手段４３も単一の光学系移動手段４０として構成とされている。この光学系移動手段４０は、駆動部１４（図２参照）からの移動制御信号Ｓ３によって駆動制御される。
【００３２】
（前眼部照明系５０の構成）
前眼部照明系５０は、前眼部（角膜）Ｅｃを所定パターンの照明光によって照明する役割を有し、被検眼Ｅの角膜Ｅｃの曲率の測定と、被検眼Ｅと装置の距離を一定に保つＺアライメントと、に用いられる。前眼部照明系５０は、プラチドリングパターン５１と、光源ＬＥＤ５２と、コリメータレンズ５３と、を有する。プラチドリングパターン５１は、図３に示すように、光を透過する多重のリングパターン５４，５５，５６と一対の開口５７とを有する。リングパターン５４，５５，５６は、対物レンズ２６を取り囲む（対物レンズ２６の光軸を中心とする）同心状とされている。一対の開口５７は、リングパターン５５の中心を通る（対物レンズ２６の光軸に直交する）直線上であってリングパターン５５上に設けられており、リングパターン５５の直径寸法と両開口５７の中心位置の間隔とが等しい設定とされている。プラチドリングパターン５１は、裏面に配置されたＬＥＤ（図示せず）により照明されて、リングパターン５４，５５，５６を透過した光束により、被検眼Ｅの角膜Ｅｃをリング状の発光パターンで照明する。このプラチドリングパターン５１の裏面に設けられたＬＥＤは、制御演算部１１（図２参照）からの制御信号Ｓ６によって制御される。
【００３３】
光源ＬＥＤ５２は、各開口５７に対応して、プラチドリングパターン５１の裏面側（被検眼Ｅから見て対物レンズ２６側）に設けられている。コリメータレンズ５３は、焦点位置が対応する光源ＬＥＤ５２の出射位置となるように光源ＬＥＤ５２とプラチドリングパターン５１との間に設けられており、光源ＬＥＤ５２から出射されプラチドリングパターン５１の裏面に向かう光束を平行光束とする。この各平行光束は、対応する開口５７を通過して、被検眼Ｅの角膜Ｅｃを照明する。この光源ＬＥＤ５２は、制御演算部１１（図２参照）からの制御信号Ｓ２によって制御される。
【００３４】
この前眼部照明系５０は、プラチドリングパターン５１により、そのリングパターン５４，５５，５６を透過したリング状の発光パターンとして角膜Ｅｃを照明するとともに、光源ＬＥＤ５２からの平行光束で角膜Ｅｃを照明する。これらの光束は、角膜Ｅｃ（その表面）で反射され、この反射された光束（以下、観察光束という）が対物レンズ２６およびダイクロイックミラー２５を透過し、後述するアライメント観察光学系６０を経てそのエリアセンサ６１上にプラチドリングパターン５１のリングパターン５４，５５，５６によるリング状の投影像５４´，５５´，５６´を形成するとともに、一対の開口５７を通過した各光源ＬＥＤ５２による一対の輝点像５７´を形成する（図４および図５参照）。なお、実施例１では、エリアセンサ６１上には、リング状の投影像５４´，５５´，５６´、および一対の輝点像５７´の他に、後述するＸＹアライメント用の輝点像７１´も形成される（図４および図５参照）。このエリアセンサ６１上に結像する投影像５４´，５５´，５６´のリング径は、被検眼Ｅの角膜Ｅｃの曲率に依存することから、エリアセンサ６１からの受光信号（エリアセンサ６１上でのリング径）に基づいて、角膜Ｅｃの曲率を測定することができる。また、プラチドリングパターン５１におけるリング（リングパターン５４，５５，５６）の本数を多くしたり当該リングの間隔を密としたりすることにより、角膜Ｅｃの曲率だけではなく、角膜Ｅｃの詳細な形状を測定することができる。
【００３５】
ここで、エリアセンサ６１上に結像する投影像５４´，５５´，５６´のリング径は、被検眼Ｅに対する装置本体の作動距離（角膜頂点から対物レンズ２６までの光学距離）、すなわち被検眼Ｅに対する測定照明系２０、受光光学系３０およびアライメント観察光学系６０の光軸方向の位置の影響を受けることから、当該距離（位置関係）を一定に保つ必要があり、これをＺアライメントという。このＺアライメントは、角膜Ｅｃの形状の測定のみならず、波面収差の測定の際にも必要である。Ｚアライメントは、以下のように行う。
【００３６】
前眼部照明系５０は、上述したように、リング状の発光パターンに加えて一対の光源ＬＥＤ５２による輝点として角膜Ｅｃを照明する。この光束は、角膜Ｅｃ（その表面）で反射され、この反射された観察光束が対物レンズ２６およびダイクロイックミラー２５を透過し、後述するアライメント観察光学系６０を経て、そのエリアセンサ６１上に、リング状の投影像５４´，５５´，５６´に加えて一対の光源ＬＥＤ５２による一対の輝点像５７´を形成する（図４参照）。上述したように、プラチドリングパターン５１では、一対の開口５７がリングパターン５５上に設けられ、リングパターン５５の直径寸法と両開口５７の中心位置の間隔とが等しく設定されている。また、前眼部照明系５０では、角膜Ｅｃに対する照明方向が対物レンズ２６の光軸方向に対して傾斜されているとともに、その光軸方向で見たプラチドリングパターン５１の裏面に設けられたＬＥＤの出射位置と光源ＬＥＤ５２の出射位置とが異なって設定されている。このため、前眼部照明系５０によりエリアセンサ６１（その受光面）上に形成される像で見ると、Ｚアライメントが合致している場合、リング状の投影像５５´の直径寸法ＲＬと一対の輝点像５７´の中心位置の間隔ＤＬとが等しくなる（図４参照）。また、前眼部照明系５０によりエリアセンサ６１（その受光面）上に形成される像で見ると、Ｚアライメントの変化に拘らず、一対の輝点像５７´の中心位置の間隔ＤＬが変化することはないが、Ｚアライメントの変化に応じて、リング状の投影像５５´の直径寸法ＲＬが変化する。このことから、エリアセンサ６１（その受光面）上では、Ｚアライメントが合致していない場合、リング状の投影像５５´の直径寸法ＲＬと一対の輝点像５７´の中心位置の間隔ＤＬとに差異が生じる（図５参照）。このため、前眼部照明系５０によりエリアセンサ６１（その受光面）上に形成されるリング状の投影像５５´の直径寸法ＲＬと、一対の輝点像５７´の中心位置の間隔ＤＬとが等しくなるように、被検眼Ｅに対する装置の位置を前後させることにより、被検眼Ｅと装置との距離を一定に保つＺアライメントを実行することができる。
【００３７】
（アライメント観察光学系６０の構成）
アライメント観察光学系６０は、前眼部照明系５０から照射された照明光束でかつ被検眼Ｅの前眼部Ｅｃにおいて反射された観察光束を用いて前眼部Ｅｃを観察する役割を有する。このアライメント観察光学系６０は、エリアセンサ６１と、レンズ６２と、レンズ６３と、ハーフミラー６４と、を有する。また、アライメント観察光学系６０は、上述したように、被検眼Ｅからダイクロイックミラー２５までの光学系が測定照明系２０の光学系と共通とされている。ハーフミラー６４は、ダイクロイックミラー２５とレンズ６３との間に配設され、角膜Ｅｃにおいて反射された観察光束をエリアセンサ６１に向けて透過し、後述するＸＹアライメント光学系７０から出射された調整光束を対物レンズ２６へ向けて反射する。対物レンズ６２は、反射光束を集光光束に変換してエリアセンサ６１に導く。エリアセンサ６１は、例えばＣＣＤによって構成されている。このエリアセンサ６１（ＣＣＤ）の受光面には、上述したように、前眼部照明系５０によるリング状の投影像５４´，５５´，５６´、および一対の輝点像５７´と、後述するＸＹアライメント光学系７０によるＸＹアライメント用の輝点像７１´と、が形成される。このエリアセンサ６１は、受光信号Ｓ７を制御演算部１１（図２参照）に送信する。
【００３８】
（ＸＹアライメント光学系７０の構成）
ＸＹアライメント光学系７０は、被検眼ＥのＸＹ方向（被検眼Ｅの近傍における測定照明系２０および受光光学系３０等の光軸と垂直な面内）のアライメント調整を行う役割を果たす。ＸＹアライメント光学系７０は、アライメント光源７１と、レンズ７２と、反射鏡７３と、を有する。また、ＸＹアライメント光学系７０は、上述したように、被検眼Ｅからハーフミラー６４までの光学系はアライメント観察光学系６０と共通とされている。アライメント光源７１は、制御演算部１１（図２参照）からの制御信号Ｓ５によって制御される。ＸＹアライメント光学系７０では、アライメント光源７１から出射しレンズ７２を経て反射鏡７３で反射した光束を、ハーフミラー６４で反射させることにより、ダイクロイックミラー２５および対物レンズ２６を経て、被検眼Ｅの角膜Ｅｃを照明させる。ここで、エリアセンサ６１が、角膜Ｅｃの曲率によってできる虚像（プルキンエ像）と略共役となるように配置されており、ＸＹアライメント光学系７０から角膜Ｅｃを照明することにより、その角膜Ｅｃ（その表面）で反射された光束（以下、調整光束という）は、対物レンズ２６およびダイクロイックミラー２５を透過し、アライメント観察光学系６０を経てそのエリアセンサ６１上に集光したＸＹアライメント用の輝点像７１´を形成する（図４参照）。このＸＹアライメント光学系７０では、図４に示すように、被検眼Ｅの角膜頂点がアライメント観察光学系６０の光軸と一致しているとき、ＸＹアライメント用の輝点像７１´が、エリアセンサ６１（その受光面）上の中心に位置するように設定されている。ここで、ＸＹアライメント用の輝点像７１´は、被検眼Ｅの角膜頂点がアライメント観察光学系６０の光軸と直交する平面内で移動すると、その移動量に応じてエリアセンサ６１（その受光面）上を移動する。このことから、ＸＹアライメント用の輝点像７１´がエリアセンサ６１（その受光面）上の中心に位置するように、被検眼Ｅに対して装置本体を移動させることにより、ＸＹアライメントを実行することができる。
【００３９】
（固視光学系８０の構成）
固視光学系８０は、例えば、被検眼Ｅに、固視や雲霧のための視標を投影する役割を有する。固視光学系８０は、被検眼Ｅに固視チャート像を投影する光学系であり、光源８１と、レンズ８２と、固視チャート８３と、レンズ８４と、レンズ８５と、反射鏡８６と、を有する。また、固視光学系８０は、上述したように、被検眼Ｅからダイクロイックミラー２４までの光学系は測定照明系２０と共通とされている。反射鏡８６は、光源８１から出射され、レンズ８２、固視チャート８３、レンズ８４およびレンズ８５を透過した光束（以下、固視光束という）を、測定照明系２０における測定光源２１からの照明光束の光軸の方向、および受光光学系３０におけるエリアセンサ３１に向かう反射光束の光軸の方向と一致させる役割を有する。光源８１は、可視領域の波長の光（以下、単に可視光という）を出射する光源であり、タングステンランプやＬＥＤが用いられている。また、光源８１は、光量が可変とされている。この可変な範囲としては、少なくとも、固視チャート像を観察させる被検眼Ｅに対して、夜間の環境下と同等の明るさを照射することのできる光量から昼間の環境下と同等の明るさを照射することのできる光量までを含むものとされている。このため、固視光学系８０（その光源８１）は、測定光学系の光軸に沿って可視光により被検眼Ｅを照明する可視光照明手段として機能する。この実施例１では、光源８１は、夜間の環境下と同等の明るさを照射することのできる光量と昼間の環境下と同等の明るさを照射することのできる光量の２段階の明るさに切り換え可能な設定とされ、入力部１２の光量切換スイッチ１２ａへの操作に応じた制御演算部１１（図２参照）からの制御信号Ｓ８によって制御される。
【００４０】
固視チャート８３は、風景や放射線のパターンからなり、光源８１から出射された光束により後方から照明される。この固視光学系８０では、光源８１から出射され固視チャート８３を透過した可視光（以下、固視光束という）を、レンズ８４およびレンズ８５を透過させ、反射鏡８６により反射させ、ダイクロイックミラー２４を透過させ、ダイクロイックミラー２５で反射して対物レンズ２６を経て被検眼Ｅに入射させることにより、その網膜（眼底）Ｅｆに固視チャート８３を投影させ、被検眼Ｅにその固視チャート像を観察させる。これにより、被検眼Ｅの視線を固視チャート８３に固定することができる。なお、実施例１では、固視チャート８３として、図６に示すような、地平線８３ａに向かって直線状に延びる道路８３ｂが描かれた風景が利用されている。
【００４１】
この固視光学系８０における光源８１、レンズ８２および固視チャート８３からなる視標ユニット８７は、視標移動手段４３により、固視光学系８０の固視光軸に沿って移動可能とされている。視標移動手段４３は、網膜（眼底）Ｅｆ上に固視チャート８３の像を形成できる位置（ピントの合う位置）まで、固視光学系８０を移動させるように駆動される。また、視標移動手段４３は、被検眼Ｅの度数を測定する場面では、被検眼Ｅの調節の影響をなくすために、ピントが合わなくなる位置まで移動する雲霧を行う。なお、視標移動手段４３は、実施例１では、測定光源２１とセンサユニット３６とがリンクされ、センサ移動手段４２および光源移動手段４１と単一の光学系移動手段４０として構成されており、単一の駆動源（例えばモータ）で駆動される。このため、視標ユニット８７は、視標移動手段４３すなわち光学系移動手段４０への移動制御信号Ｓ３によって駆動制御される。
【００４２】
（電気回路の構成）
上述したように、眼科装置１０は、図２に示すように、電気制御系として、制御演算部１１と、入力部１２と、表示部１３と、駆動部１４とを備える。
【００４３】
制御演算部１１には、受光光学系３０のエリアセンサ３１からの受光信号Ｓ４と、アライメント観察光学系６０のエリアセンサ６１からの受光信号Ｓ７と、が入力される。また、制御演算部１１には、入力部１２からの操作信号が入力される。この制御演算部１１は、入力情報処理部１１ａと、駆動制御部１１ｂと、解析処理部１１ｃと、画像表示制御部１１ｄと、記憶部１１ｅと、を有する。
【００４４】
入力情報処理部１１ａは、入力される受光信号Ｓ４、受光信号Ｓ７、および入力部１２からの操作信号を適宜処理して駆動制御部１１ｂ、解析処理部１１ｃ、画像表示制御部１１ｄ、および記憶部１１ｅへと送信する。
【００４５】
駆動制御部１１ｂは、入力情報処理部１１ａからの信号（入力部１２からの操作信号等）に基づいて、測定照明系２０の測定光源２１を駆動制御（点灯および消灯）したり、光学系移動手段４０を駆動制御したり、前眼部照明系５０のプラチドリングパターン５１と光源ＬＥＤ５２、ＸＹアライメント光学系７０のアライメント光源７１、固視光学系８０の光源８１、および駆動部１４を駆動制御する。また、駆動制御部１１ｂは、解析処理部１１ｃの演算結果に応じた信号に基づいて制御を行う。すなわち、測定照明系２０の測定光源２１、前眼部照明系５０のプラチドリングパターン５１と光源ＬＥＤ５２、ＸＹアライメント光学系７０のアライメント光源７１、固視光学系８０の光源８１に制御信号Ｓ１，Ｓ２，Ｓ５，Ｓ６，Ｓ８を送信して制御したり、駆動部１４を駆動して制御信号Ｓ３を光学系移動手段４０へと送信させる。さらに、駆動制御部１１ｂは、眼科装置１０の機能を発揮させるための諸制御を行う。ついで、記憶部１１ｅに格納した制御用プログラムを用いて測定光源２１から射出される光の光量の調整等に関して自動制御を行っても良い。
【００４６】
解析処理部１１ｃは、入力情報処理部１１ａからの信号（受光光学系３０からの受光信号Ｓ４、およびアライメント観察光学系６０からの受光信号Ｓ７）に基づいて被検眼Ｅの波面収差、屈折力等を演算する。また、解析処理部１１ｃは、測定された波面収差およびその他の測定データから被検眼Ｅに関する種々の光学特性、例えば、点像分布係数（ＰＳＦ）、被検眼の伝達特性を示すＭＴＦ(Modulation Transfer Function)、瞳孔径寸法、コントラスト感度等を演算する。このため、解析処理部１１ｃは、瞳孔径寸法計測手段として機能する。さらに、解析処理部１１ｃは、これら演算結果に応じた信号又は他の信号・データを、光学系および電気制御系の制御を行う駆動制御部１１ｂと、画像表示制御部１１ｄと、記憶部１１ｅとに適宜出力する。
【００４７】
画像表示制御部１１ｄは、入力情報処理部１１ａからの信号（受光光学系３０からの受光信号Ｓ４およびアライメント観察光学系６０からの受光信号Ｓ７等）に基づいて、被検眼Ｅの前眼部Ｅｃの画像または波面を示す画像等を表示させるための信号を表示部１３へと出力する。また、画像表示制御部１１ｄは、測定結果、演算結果、解析結果や操作者がデータを入力、指示するためのウインドウ等を表示させるための信号を表示部１３へと出力する。
【００４８】
記憶部１１ｅは、被検眼Ｅに関するデータ、波面収差の演算に用いるデータ、測定における設定データ等を格納する。すなわち、入力情報処理部１１ａや駆動制御部１１ｂや解析処理部１１ｃから送信された情報を適宜格納し、当該格納した情報を、入力情報処理部１１ａや駆動制御部１１ｂや解析処理部１１ｃや画像表示制御部１１ｄからの求めに応じて適宜引き出させる。また、記憶部１１ｅは、測定を自動的に行う場合等の制御用プログラムを記憶する。
【００４９】
入力部１２は、操作者が、所定の設定、指示、データ等の各種入力信号を入力するための、スイッチ、ボタン、キーボード等である。ここでは、表示部１３に表示されたボタン、アイコン、位置、領域等を支持するためのポインティングデバイス等も含むものとする。入力部１２は、自らに為された操作に応じた操作信号を制御演算部１１に出力する。入力部１２は、実施例１では、光量切換スイッチ１２ａと測定開始スイッチ１２ｂとを有する。光量切換スイッチ１２ａは、光源８１の光量を、設定された夜間の環境下と同等の明るさを照射することのできる光量と昼間の環境下と同等の明るさを照射することのできる光量との２段階の明るさに切り換えるためのものであり、測定開始スイッチ１２ｂは、各種測定を実行させるためのものである。
【００５０】
表示部１３は、測定結果、演算結果、解析結果や操作者がデータを入力、指示するためのウインドウ、被検眼Ｅの画像等を表示する。表示部１３は、制御演算部１１の制御下で、適宜表示を行う。
【００５１】
駆動部１４は、例えば、制御演算部１１に入力されたエリアセンサ３１からの受光信号Ｓ４に基づいて、測定照明系２０の測定光源２１（光源移動手段４１）、受光光学系３０のセンサユニット３６（センサ移動手段４２）、および固視光学系８０の視標ユニット８７（視標移動手段４３）を一体的に光軸方向に移動させる光学系移動手段４０を駆動する。この駆動部１４は、光学系移動手段４０に対して移動制御信号Ｓ３を出力することにより、当該光学系移動手段４０を駆動する。
【００５２】
（波面収差の測定の概要）
この眼科装置１０では、波面収差の測定を行う際、図１に示すように、固視光学系８０の光源８１を点灯し、被検眼Ｅに固視チャート像を観察させる。この状態において、ＸＹアライメントにより被検眼Ｅの角膜頂点と装置本体の測定光軸（対物レンズ２６の光軸）とを一致させるとともに、Ｚアライメントにより被検眼Ｅの角膜頂点から装置本体までの距離を一定に保つ。その後、測定照明系２０の測定光源２１を光学系移動手段４０により基準位置に移動して、その測定光源２１を点灯する。このとき、受光光学系３０のセンサユニット３６および固視光学系８０の視標ユニット８７も光学系移動手段４０により一体的に移動されることから、基準位置とされる。この基準位置において、被検眼Ｅの屈折状態の仮測定を行い、この仮測定の結果に基づいて被検眼Ｅの屈折力を打ち消す位置に、測定照明系２０の測定光源２１、受光光学系３０のセンサユニット３６および固視光学系８０の視標ユニット８７を移動させ、その位置で再度被検眼Ｅの屈折状態を測定する。この再度の測定の結果、受光光学系３０のセンサユニット３６が被検眼Ｅの屈折力を略打ち消す位置となっていた場合、固視光学系８０の視標ユニット８７をプラス側へと移動して固視チャート像を雲霧させる。この状態で、被検眼Ｅの屈折状態および収差の測定を行う。
【００５３】
この測定では、測定照明系２０において、測定光源２１から出射されレンズ２２を透過した光束を、偏光ビームスプリッタ２３、ダイクロイックミラー２４およびダイクロイックミラー２５で反射して対物レンズ２６の光軸上へと導き、その対物レンズ２６を経て被検眼Ｅの眼底Ｅｆを照明する。これを照明光束Ｌｉとすると、図８および図９に示すように、極めて小さな径の光束として対物レンズ２６を経て被検眼Ｅへと入射し、眼底Ｅｆの微小な領域（スポット光）を照明する。すると、眼底Ｅｆでは、照明光束Ｌｉが反射され、その反射された光束のうち瞳孔Ｅｐ（虹彩Ｅｉの内方）を通過した光束が、対物レンズ２６へ向かう。これを反射光束Ｌｒとすると、反射光束Ｌｒは、図１に示すように、対物レンズ２６を経て受光光学系３０へと導かれる。すなわち、反射光束Ｌｒは、受光光学系３０において、対物レンズ２６を経てダイクロイックミラー２４およびダイクロイックミラー２５で反射され、偏光ビームスプリッタ２３を透過して反射鏡３５で反射され、レンズ３３、レンズ３４およびハルトマン板３２へ向かい、このハルトマン板３２を経て複数の分割光束に分割されてエリアセンサ３１の受光面上に集光される。エリアセンサ３１は、各分割光束を受光して光電変換することにより、各分割光束の受光光量に応じた受光信号Ｓ４を制御演算部１１へと出力する。制御演算部１１は、解析処理部１１ｃにおいて受光信号Ｓ４により取得したデータから波面収差を得ることができ、この波面収差の変化（エリアセンサ３１の受光面上の各輝点の理想波面に対する移動量）に基づき解析することにより、被検眼Ｅの光学特性（屈折状態や収差量等）を演算することができる。ここで、この演算された屈折状態は、図８および図９に示すように、被検眼Ｅにおける反射光束Ｌｒが透過した領域（図８でハッチを付した領域（符号Ａｒ）および図９でハッチを付した領域（符号Ａｅ）参照）での実際の光学的な要素の総てを包含したものとなる。
【００５４】
（従来技術の問題点）
被検眼では、昼間の環境下（明所）（以下では、単に「昼間の」ともいう）と夜間の環境下（暗所）（以下では、単に「夜間の」ともいう）とでは瞳孔径が変化することから、それぞれの環境下でのより正確な屈折状態を得るために、それぞれの瞳孔径での屈折状態を測定することが求められている。ここで、上述したように、波面収差の測定においては、被検眼Ｅにおける反射光束Ｌｒが透過した領域（図８の符号Ａｒおよび図９の符号Ａｅ参照）での実際の光学的な要素の総てを包含した屈折状態を得ることができることから、従来では、以下のように、昼間と夜間との被検眼の屈折状態を測定している。
【００５５】
先ず、図９に示すように、被検眼Ｅの瞳孔Ｅｐを大きく開かせた状態（散瞳）で（図７（ａ）の符号瞳孔Ｅｐ１参照）、その被検眼Ｅに照明光束Ｌｉを照射し、その反射光束Ｌｒの受光結果に基づいて波面解析を行うことにより、被検眼Ｅにおいて、大きく開かれた瞳孔Ｅｐ１に対して反射光束Ｌｒが透過した領域Ａｅでの実際の光学的な要素の総てを包含した屈折状態を演算する。例えば、このときの屈折状態を夜間における屈折状態とする。
【００５６】
次に、図７（ｂ）に示すように、大きく開かれた瞳孔Ｅｐ１に対する反射光束Ｌｒの受光結果のうち、昼間における縮小した推定瞳孔Ｅｐ２に相当する領域のみの受光結果に基づいて波面解析を行うことにより、推定瞳孔Ｅｐ２に対する屈折状態を演算する。これは、実際に被検眼Ｅにおいて、瞳孔Ｅｐ１に対して反射光束Ｌｒが透過した領域Ａｅから、推定瞳孔Ｅｐ２に対応する領域（推定瞳孔Ｅｐ２に対して反射光束が透過した領域）を切り出したこととなるので、実際に推定瞳孔Ｅｐ２の状態での被検眼Ｅからの反射光束の受光結果に基づいて波面解析を行った場合と同様の解析結果（屈折状態）を得ることができるものと考えられる。ここで、昼間における縮小した推定瞳孔Ｅｐ２は、昼間における瞳孔Ｅｐの径寸法ｄを予め取得し、大きく開かれた瞳孔Ｅｐ１の中心位置ｃを中心とする径寸法ｄの円と推定することにより、求めることができる。この径寸法ｄは、昼間と見なせる明るさ（昼間の環境下）での被検眼Ｅの測定結果を用いてもよく、昼間の環境下における瞳孔の平均的な径寸法を用いてもよい。
【００５７】
ところが、実際の被検眼では、瞳孔が大きく開かされたり小さく萎められたりする際、瞳孔の中心位置が変位したり瞳孔の形状が変化したりする。これは、例えば、図７（ｂ）に示すように、被検眼Ｅにおいて、瞳孔が略円形で大きく開かれた状態（図７（ａ）の符号Ｅｐ１参照）における中心位置が符号ｃで示す位置であったとして、実際に瞳孔が縮小すると符号Ｅｐ３で示すように、瞳孔が略円形から歪むとともに、その中心位置ｃ´も中心位置ｃから変位する。このため、上記した従来の方法では、演算した屈折状態は、実際の昼間において縮小した瞳孔における屈折状態とは異なるものとなってしまう。ここで、上記したような瞳孔の中心位置の変位や瞳孔の形状の変化の態様は、被検眼毎に異なることから、推定結果としての昼間における縮小した推定瞳孔Ｅｐ２を、実際の昼間における縮小した瞳孔Ｅｐ３に合致させることは困難である。
【００５８】
また、実際には同じ明るさであっても、瞳孔は周期的に大きくなったり小さくなったりを繰り返している。しかし、従来では、夜間の明るさになるよう照明光束Ｌｉを暗くしたときと、昼間の明るさになるよう照明光束Ｌｉを明るくしたときにそれぞれ一度ずつ測定するだけであるので、ベストな瞳孔径寸法を測定できない。
【００５９】
（本願発明の眼科装置の作用）
本願発明の眼科装置１０では、上述したように、被検眼Ｅに固視チャート像を観察させるために可視光を出射する固視光学系８０の光源８１が、入力部１２の光量切換スイッチ１２ａへの操作に基づく制御演算部１１の制御下において光量が可変とされており、被検眼Ｅに対して、夜間と同等の明るさで照射することができ、かつ昼間と同等の明るさで照射することができる。
【００６０】
このため、眼科装置１０では、光量切換スイッチ１２ａへの操作により、固視光学系８０の光源８１を夜間の環境下と同等の明るさで被検眼Ｅを照射する光量として、被検眼Ｅを照明しつつ、例えば、測定開始スイッチ１２ｂの操作で波面収差の測定を行うことにより、図９に示すように、被検眼Ｅの瞳孔Ｅｐを大きく開かせた状態（図７（ａ）の符号Ｅｐ１参照）に対して反射光束Ｌｒが透過した領域Ａｅでの実際の光学的な要素の総てを包含した屈折状態を演算することができる。
【００６１】
また、光量切換スイッチ１２ａへの操作により、固視光学系８０の光源８１を昼間の環境下と同等の明るさで被検眼Ｅを照射する光量として、被検眼Ｅを照明しつつ、例えば、測定開始スイッチ１２ｂの操作で波面収差の測定を行うことにより、図８に示すように、被検眼Ｅの瞳孔を縮小させた状態（図７（ｂ）の符号Ｅｐ３参照）に対して反射光束Ｌｒが透過した領域Ａｒでの実際の光学的な要素の総てを包含した屈折状態を演算することができる。ここで、上述したように、大きく開かれた瞳孔Ｅｐ１と縮小した瞳孔Ｅｐ３とでは、中心位置（図７（ｂ）の符号ｃおよび符号ｃ´参照）が互いにズレているが、波面収差の測定の際には固視光学系８０による固視チャート像の観察により被検眼Ｅの固視方向を調整していることから、被検眼Ｅでは眼球が回旋点を中心に旋回されて中心位置（図７（ｂ）の符号ｃおよび符号ｃ´参照）が測定光軸上に位置されることとなるので、当該測定光軸を変更しなくても波面収差を適切に測定することができる（図８参照）。
【００６２】
このように、本願発明の眼科装置１０では、固視光学系８０の光源８１の光量を意図的に変更しつつ波面収差の測定を行うことにより、詳細には、夜間の環境下の明るさの可視光で被検眼Ｅを照明しつつ波面収差の測定を行うとともに昼間の環境下の明るさの可視光で被検眼Ｅを照明しつつ波面収差の測定を行うことにより、夜間の明るさに対応する大きく開かれた瞳孔Ｅｐ１（図７（ａ）参照）に対して反射光束Ｌｒが透過した領域Ａｅ（図９参照）での実際の光学的な要素の総てを包含した屈折状態を演算することができるとともに、実際の昼間の明るさに対応する縮小した瞳孔Ｅｐ３（図７（ｂ）参照）に対して反射光束Ｌｒが透過した領域Ａｒ（図８参照）での実際の光学的な要素の総てを包含した屈折状態を演算することができる。このため、瞳孔Ｅｐが大きく開かされたり小さく萎められたりすることに伴う瞳孔Ｅｐの中心位置の変位や瞳孔Ｅｐの形状の変化に拘らず、異なる明るさの環境下における実際の被検眼Ｅの屈折状態をそれぞれ適切に測定することができる。特に、実施例１では、夜間の環境下での実際の被検眼Ｅの屈折状態と、昼間の環境下での実際の被検眼Ｅの屈折状態と、を適切に測定することができるので、夜間での使用を目的とする最適な眼鏡やコンタクトレンズと、昼間での使用を目的とする最適な眼鏡やコンタクトレンズと、のそれぞれの適切な処方に大きく貢献することができる。
【００６３】
加えて、本願発明の眼科装置１０では、夜間の環境下の明るさの可視光で被検眼Ｅを照明しつつ波面収差の測定を行った際、解析処理部１１ｃがアライメント観察光学系６０からの受光信号Ｓ７に基づいて大きく開かれた瞳孔Ｅｐ１の中心位置ｃ（図７（ａ）参照）を演算するとともに、昼間の環境下の明るさの可視光で被検眼Ｅを照明しつつ波面収差の測定を行った際、解析処理部１１ｃがアライメント観察光学系６０からの受光信号Ｓ７に基づいて縮小した瞳孔Ｅｐ３の中心位置ｃ´（図７（ｂ）参照）を演算する。この演算結果は、適宜記憶部１１ｅに格納するとともに、画像表示制御部１１ｄの制御下で表示部１３に適宜表示させることができる。また、眼科装置１０では、アライメント観察光学系６０のエリアセンサ６１からの受光信号Ｓ７を解析処理部１１ｃが解析することにより、被検眼Ｅの瞳孔Ｅｐの形状を取得することができ、画像表示制御部１１ｄの制御下で表示部１３に適宜表示させることができる。このため、眼科装置１０では、瞳孔Ｅｐが大きく開いたり小さく縮んだりした瞳孔Ｅｐの中心位置や形状の情報を取得することができる。
【００６４】
さらに、本願発明の眼科装置１０では、夜間の明るさになるよう照明光束Ｌｉを暗くしたときに測定開始スイッチ１２ｂが操作されると、解析処理部１１ｃは、エリアセンサ３１から瞳孔径寸法に関するデータを複数回（ここでは３回）に分けて取り込む。また、昼間の明るさになるよう照明光束Ｌｉを明るくしたときに測定開始スイッチ１２ｂが操作されると、解析処理部１１ｃは、エリアセンサ３１から瞳孔径寸法に関するデータを複数回（ここでは３回）に分けて取り込む。解析処理部１１ｃが取り込んだ瞳孔径寸法に関するデータは、一旦記憶部１１ｅに記憶される。
【００６５】
図１０は、解析処理部１１ｃが、瞳孔径寸法に関するデータをエリアセンサ３１から取り込む様子を説明した図である。解析処理部１１ｃは、照明光束Ｌｉを暗くしたときに取り込んで記憶部１１ｅに記憶した瞳孔径寸法のうちから、最大の瞳孔径寸法を求める。すなわち、照明光束Ｌｉを暗くした際の瞳孔径寸法は、同図に示すように変動しており、例えば、解析処理部１１ｃがエリアセンサ３１から取り込んだ瞳孔径寸法が、１回目１００％、２回目９５％、３回目９３％であったとすると、最大の瞳孔径寸法は１００％となる。解析処理部１１ｃによって求められた最大の瞳孔径寸法１００％は、表示部１３に表示される。
【００６６】
また、解析処理部１１ｃは、照明光束Ｌｉを明るくしたときに取り込んで記憶部１１ｅに記憶した瞳孔径寸法のうちから、最小の瞳孔径寸法を求める。すなわち、照明光束Ｌｉを明るくした際の瞳孔径寸法は、図１０に示すように変動しており、解析処理部１１ｃがエリアセンサ３１から取り込んだ瞳孔径寸法が、１回目３３％、２回目２９％、３回目２５％であったとすると、最小の瞳孔径寸法は２５％となる。解析処理部１１ｃによって求められた最小の瞳孔径寸法２５％は、表示部１３に表示される。
【００６７】
なお、上記した実施例１では、照明光束Ｌｉを暗くしたときと明るくしたときに、解析処理部１１ｃが瞳孔径寸法をそれぞれ３回ずつ取り込んでいたが、それぞれ４回以上ずつ取り込んでもよい。
【００６８】
また、実施例１では、光源８１の光量を、夜間の環境下の明るさの可視光で被検眼Ｅを照明するものと、昼間の環境下の明るさの可視光で被検眼Ｅを照明するものとを含む、４段階の明るさに切り換え可能な構成（光量切換スイッチ１２ａへの操作）とされていたが、意図的に異なる２つ以上の値（瞳孔径寸法の変化に起因して実質的な被検眼Ｅの光学特性の変化が生じ得る観点で異なる値）に切り換えるものであれば、異なる明るさの環境下における実際の被検眼Ｅの屈折状態をそれぞれ測定することができるので、上記した実施例１に限定されるものではない。
【００６９】
[実施例１の変形例１]
次に、実施例１の変形例１の眼科装置１０１について説明する。この変形例１の眼科装置１０１（図１１参照）は、制御演算部１１１の画像表示制御部１１１ｄによる表示部１３１への表示制御の内容が異なること、およびそれに伴って入力部１２１の構成が異なることを除くと、その基本的な構成は実施例１の眼科装置１０と同様であるので、同一機能部分には実施例１と同一の符号を付し、その詳細な説明は省略する。なお、図１１は、変形例１の眼科装置１０１の電気制御系を示す図２と同様の説明図である。また、図１２は、表示部１３１に瞳孔径の大きさ寸法（瞳孔の直径寸法であり、以下、瞳孔径寸法Ｐｄという）をリアルタイムで表示させる一例を示す説明図であり、図１３は、表示部１３１に瞳孔径寸法Ｐｄをリアルタイムで表示させる他の例を示す説明図である。
【００７０】
眼科装置１０１では、図１１に示すように、入力部１２１に、光量切換スイッチ１２ａと測定開始スイッチ１２ｂとに加えて、光量調整スイッチ１２ｃが設けられている。この光量調整スイッチ１２ｃは、光源８１の光量を連続的に変化させるための操作スイッチである。このため、光量調整スイッチ１２ｃは、可視光照明手段の光量の調整のための調整操作部として機能する。
【００７１】
この変形例１においても、解析処理部１１１ｃは、夜間の明るさにおいてエリアセンサ３１から取り込んだ複数の瞳孔径寸法のうち最大の瞳孔径寸法を求めるとともに、昼間の明るさにおいてエリアセンサ３１から取り込んだ複数の瞳孔径寸法のうち最小の瞳孔径寸法を求めるようにする。
【００７２】
眼科装置１０１では、制御演算部１１１の画像表示制御部１１１ｄが表示部１３１に、図１２に示すように、被検眼Ｅの画像をリアルタイムで（即時的に）表示させるとともに、その画像に重ねて瞳孔径寸法Ｐｄを表示させる。この瞳孔径寸法Ｐｄは、アライメント観察光学系６０のエリアセンサ６１からの受光信号Ｓ７を、解析処理部１１１ｃが解析することにより、演算することができ、この演算結果に基づいて画像表示制御部１１１ｄが表示部１３１に表示させる。
【００７３】
この眼科装置１０１では、検者は、波面収差の測定を行う際、固視光学系８０の光源８１で被検眼Ｅを照明し、表示部１３１を見つつ入力部１２１の光量調整スイッチ１２ｃを操作することにより、被検眼Ｅの瞳孔Ｅｐの径寸法（瞳孔径寸法Ｐｄ）を調節することができるとともに、所望の瞳孔径寸法Ｐｄとなった時点で測定開始スイッチ１２ｂを操作することにより、所望の瞳孔径寸法Ｐｄとした被検眼Ｅに対して反射光束が透過した領域での実際の光学的な要素の総てを包含した屈折状態を演算することができる。
【００７４】
また、被検眼Ｅに固視チャート像を観察させて、表示部１３１を見つつ入力部１２１の光量調整スイッチ１２ｃを操作することにより、被検眼Ｅの瞳孔Ｅｐの径寸法（瞳孔径寸法Ｐｄ）を調節することができるので、実施例１と同様の瞳孔Ｅｐの中心位置の演算機能を利用することにより、所望の瞳孔径寸法Ｐｄである際の瞳孔Ｅｐの中心位置を測定することができる。
【００７５】
なお、この変形例１では、アライメント観察光学系６０のエリアセンサ６１からの受光信号Ｓ７に基づいて瞳孔径寸法Ｐｄを演算するとともに、その受光信号Ｓ７に基づく被検眼Ｅの画像に瞳孔径寸法Ｐｄを重ねて表示させるものであったが、検者に容易に認識させるべく瞳孔径寸法Ｐｄの情報を表示部１３に表示させるものであればよく、変形例１に限定されるものではない。例えば、受光光学系３０のエリアセンサ３１からの受光信号Ｓ４に基づいて瞳孔径寸法Ｐｄを演算するとともに、図１３に示すように、受光信号Ｓ４に基づくハルトマン像に瞳孔径寸法Ｐｄを重ねて表示させるものであってもよい。これは、眼科装置１０１の光学系では、受光光学系３０のハルトマン板３２と被検眼Ｅの瞳孔Ｅｐとが共役な位置関係とされていることから、瞳孔径寸法Ｐｄとハルトマン板３２を経た分割光束によりエリアセンサ３１上に投影されるハルトマン像（点像）の範囲とには、被検眼Ｅの度数に拘らず一定の相関関係があることから、ハルトマン像の外接円から瞳孔径寸法Ｐｄを求めることができることによる。
【００７６】
[実施例１の変形例２]
次に、実施例１の変形例２の眼科装置について説明する。この変形例２の眼科装置１０２（図１４参照）は、制御演算部１１２の制御下で自動的に波面収差の測定を実行する例である。この変形例２の眼科装置１０２は、その基本的な構成は実施例１の眼科装置１０と同様であるので、同一機能部分には実施例１と同一の符号を付し、その詳細な説明は省略する。なお、図１４は、変形例２の眼科装置１０２の電気制御系を示す図２と同様の説明図である。
【００７７】
眼科装置１０２では、図１４に示すように、入力部１２２に、光量切換スイッチ１２ａと測定開始スイッチ１２ｂと光量調整スイッチ１２ｃとに加えて、瞳孔径設定スイッチ１２ｄが設けられている。この瞳孔径設定スイッチ１２ｄは、制御演算部１１２の制御下での自動的な波面収差の測定の実行のための基準となる瞳孔径寸法Ｐｄ（図１２および図１３参照）を入力するための操作スイッチである。瞳孔径設定スイッチ１２ｄへの操作により設定された瞳孔径設定値は、制御演算部１１２の入力情報処理部１１２ａにより適宜処理されて記憶部１１２ｅに格納される。
【００７８】
眼科装置１０２では、制御演算部１１２に、入力情報処理部１１２ａと駆動制御部１１２ｂと解析処理部１１２ｃと画像表示制御部１１２ｄと記憶部１１２ｅとに加えて、判断処理部１１２ｆが設けられている。
【００７９】
この判断処理部１１２ｆは、記憶部１１２ｅに格納された瞳孔径設定値と、解析処理部１１２ｃがアライメント観察光学系６０のエリアセンサ６１からの受光信号Ｓ７に基づいて演算した現状の瞳孔径寸法の情報を取得可能と、を取得して、瞳孔径設定値と現状の瞳孔径寸法との比較結果に応じた信号を駆動制御部１１２ｂに送信する。この比較結果とは、瞳孔径設定値よりも現状の瞳孔径寸法が小さい場合と、瞳孔径設定値よりも現状の瞳孔径寸法が大きい場合と、瞳孔径設定値と現状の瞳孔径寸法とが等しいと、の３種類である。
【００８０】
判断処理部１１２ｆからの信号を受けた駆動制御部１１２ｂは、瞳孔径設定値よりも現状の瞳孔径寸法が小さい場合、光源８１の光量を低減させる制御信号Ｓ８を光源８１へと送信し、瞳孔径設定値よりも現状の瞳孔径寸法が大きい場合、光源８１の光量を増加させる制御信号Ｓ８を光源８１へと送信し、瞳孔径設定値と現状の瞳孔径寸法とが等しい場合、波面収差の測定を実行させる。
【００８１】
この変形例２においても、解析処理部１１２ｃは、夜間の明るさにおいてエリアセンサ３１から取り込んだ複数の瞳孔径寸法のうち最大の瞳孔径寸法を求めるとともに、昼間の明るさにおいてエリアセンサ３１から取り込んだ複数の瞳孔径寸法のうち最小の瞳孔径寸法を求めるようにする。
【００８２】
この眼科装置１０２では、検者は、波面収差の測定を行う際、入力部１２２の瞳孔径設定スイッチ１２ｄを操作して所望の瞳孔径を設定することにより、所望の瞳孔径とした被検眼Ｅに対して反射光束が透過した領域での実際の光学的な要素の総てを包含した屈折状態を演算することができる。
【００８３】
また、入力部１２２の瞳孔径設定スイッチ１２ｄを操作して所望の瞳孔径寸法を設定し、被検眼Ｅに固視チャート像を観察させることにより、被検眼Ｅの瞳孔Ｅｐの径寸法を設定した値とすることができるので、実施例１と同様の瞳孔Ｅｐの中心位置の演算機能を利用することにより、所望の瞳孔径寸法である瞳孔Ｅｐの中心位置を測定することができる。
【００８４】
なお、上記した実施例１では、被検眼Ｅの瞳孔径内の光学特性の分布を測定する測定光学系として波面収差を測定する受光光学系３０が用いられていたが、被検眼Ｅの眼底Ｅｆをスポット光で照明し、眼底Ｅｆにより反射されて被検眼Ｅの瞳孔Ｅｐを通過した光束を受光することにより、被検眼Ｅの光学特性の分布を測定するものであればよく、実施例１の構成に限定されるものではない。
【００８５】
また、上記した実施例１では、可視光照明手段として固視光学系８０（その光源８１）を利用していたが、測定光学系の光軸に沿って可視光により被検眼Ｅを照明するものであれば、固視光学系８０とは別に設ける構成であってもよく、実施例１の構成に限定されるものではない。
【符号の説明】
【００８６】
１０，１０１，１０２  眼科装置
１１ｃ，１１１ｃ，１１２ｃ  （瞳孔径寸法計測手段としての）解析処理部
１１ｅ，１１１ｅ，１１２ｅ  記憶部
１２ｂ  測定開始スイッチ
１２ｃ  （調整操作部としての）光量調整スイッチ
１３  表示部
３０  （測定光学系としての）受光光学系
８０  （可視光照明手段としての）固視光学系
Ｅ  被検眼
【図１】
0005394902.tif 000002
【図２】
0005394902.tif 000003
【図６】
0005394902.tif 000004
【図７】
0005394902.tif 000005
【図８】
0005394902.tif 000006
【図９】
0005394902.tif 000007
【図１０】
0005394902.tif 000008
【図１１】
0005394902.tif 000009
【図１２】
0005394902.tif 000010
【図１３】
0005394902.tif 000011
【図１４】
0005394902.tif 000012
【図３】
0005394902.tif 000013
【図４】
0005394902.tif 000014
【図５】
0005394902.tif 000015